(57)【特許請求の範囲】
【請求項１】
磁気共鳴イメージング（ＭＲＩ）システムを較正するために該ＭＲＩシステム内の設計球形ボリューム（１０）（ＤＳＶ）の実質的に外部に位置する領域（１６、１７）から発生したＮＭＲ信号を抑制するための個別仕様の空間飽和パルスシーケンスを生成させる前記ＭＲＩシステムであって、
ａ）前記領域内にファントームを配置する手段と、
ｂ）ＭＲＩシステムによって撮像域（ＦＯＶ）から撮像データを反復して収集し、該撮像データから画像を反復して再構成する手段と、
ｃ）空間飽和パルスシーケンスを前記収集で使用した撮像パルスシーケンスと交互配置すると共に、前記一組の画像を収集する際に前記空間飽和パルスシーケンスのフリップ角（３１２）及びスライス厚スキャン・パラメータ（３１８）を変更する手段と、
ｄ）前記一組の画像を解析することによって前記領域から発生する信号を抑制するように個別仕様化した空間飽和パルスシーケンスが形成されるように最適なスキャン・パラメータを選択する手段（３２４）と、
ｅ）前記ＭＲＩシステムを較正する為に前記ＭＲＩシステムに前記最適なスキャン・パラメータを格納する手段と含むＭＲＩシステム。
【請求項２】
磁気共鳴イメージング（ＭＲＩ）システムを較正するために該ＭＲＩシステム内の設計球形ボリューム（１０）（ＤＳＶ）の実質的に外部に位置する領域（１６、１７）から発生したＮＭＲ信号を抑制するための個別仕様の空間飽和パルスシーケンスを生成させるための方法であって、ａ）前記領域内にファントームを配置するステップと、ｂ）ＭＲＩシステムによって撮像域（ＦＯＶ）から撮像データを反復して収集し、該撮像データから画像を反復して再構成するステップと、ｃ）空間飽和パルスシーケンスを前記ステップｂ）で使用した撮像パルスシーケンスと交互配置すると共に、前記一組の画像を収集する際に前記空間飽和パルスシーケンスのフリップ角（３１２）及びスライス厚スキャン・パラメータ（３１８）を変更するステップと、ｄ）前記一組の画像を解析することによって前記領域から発生する信号を抑制するように個別仕様化した空間飽和パルスシーケンスが形成されるように最適なスキャン・パラメータを選択するステップ（３２４）と、ｅ）前記ＭＲＩシステムを較正する為に前記ＭＲＩシステムに前記最適なスキャン・パラメータを格納するステップと含む方法。
【請求項３】
前記フリップ角は、ステップｂ）の実行中に１２０°〜１８０°の範囲にわたって変更されている、請求項２に記載の方法。
【請求項４】
様々なスライス厚が利用されていると共に、前記フリップ角は、空間飽和パルスシーケンスのスキャン・パラメータに関するすべての組み合わせを用いて画像が作成されるように、スライス厚の各値に対して１２０°〜１８０°の範囲にわたって変更されている、請求項２に記載の方法。
【請求項５】
前記ファントームがＭＲＩシステムのホットスポット内に来るように配置されている、請求項２に記載の方法。
【請求項６】
前記ステップｄ）は、ＭＲＩシステムのホットスポットからの信号を抑制するスキャン・パラメータを選択することによって実行されている、請求項５に記載の方法。
【発明の詳細な説明】
【０００１】
【発明の属する技術分野】
本発明の分野は核磁気共鳴イメージングの方法及びシステムである。本発明は、さらに詳細には、撮像域の外部で発生した信号に起因する画像アーチファクトの軽減に関する。
【０００２】
【発明の背景】
人体組織などの物質を均一な磁場（偏向磁場Ｂ0）にかけると、組織中のスピンの個々の磁気モーメントはこの偏向磁場と整列しようとして、この周りをラーモアの特性周波数で無秩序に歳差運動することになる。この物質（または組織）に、ｘ−ｙ平面内にありラーモア周波数に近い周波数をもつ磁場（励起磁場Ｂ1）がかけられると、正味の整列モーメントＭzは、ｘ−ｙ平面内に来るように回転させられ（すなわち、「傾けられ（ｔｉｐｐｅｄ）」）、正味の横方向磁気モーメントＭtが生成される。励起信号Ｂ1を停止させた後、励起したスピンにより信号が放出され、さらにこの信号を受信し処理して画像を形成することができる。
【０００３】
これらの信号を用いて画像を作成する際には、磁場傾斜（Ｇx、Ｇy及びＧz）が利用される。典型的には、撮像しようとする領域は、使用する具体的な位置特定方法に従ってこれらの傾斜を変更させている一連の計測サイクルによりスキャンを受ける。結果として得られる受信ＮＭＲ信号の組は、ディジタル化され処理され、よく知られている多くの再構成技法のうちの１つを用いて画像が再構成される。
【０００４】
スピンの励起及び得られたＮＭＲ信号の位置分解を正確に行うには、その偏向磁場Ｂ0は極めて均一でなければならず、かつその撮像傾斜磁場Ｇx、Ｇy及びＧzは極めて線形でなければならない。商用のＭＲＩシステムでこれを実現するための数多くの構造及び方法が当技術分野で知られており、またこれらの磁場がその要件を満たしている領域のことを設計球形ボリューム（「ＤＳＶ」）と呼んでいる。ＤＳＶは、直径を例えば４０〜４８ｃｍの範囲とすることがある。ＤＳＶの外部では、偏向磁場Ｂ0が極めて不均一となる可能性があり、また撮像傾斜Ｇx、Ｇy及びＧzは極めて非線形となる可能性がある。さらに、これらに対する制御は、こうした外側領域では極めて不十分である。
【０００５】
具体的に図２を参照すると、典型的なＭＲＩシステムのＤＳＶを破線１０で表しており、またスキャン対象１２はこのＤＳＶ１０内に配置されている。画像再構成のために正確なＮＭＲデータを収集する場所にあたる撮像域（ＦＯＶ）は点線１４で表している。対象１２の一部分はＤＳＶ１０の外部にあり、またその内部でスピンはＲＦ励起磁場、並びにＦＯＶ１４の撮像中にＭＲＩシステムが発生させる磁場を受ける。ＤＳＶ１０の外部に位置するスピンによって生成されたＮＭＲ信号は画像アーチファクトを発生させることがある。ＤＳＶ１０の外部からのこうした画像アーチファクトは、撮像ＦＯＶ１４が制限されているために再構成画像内にエイリアシングされる（ａｌｉａｓｅｄ）こと、システムの不完全性のためにＦＯＶ１４内に描出されること、あるいはまたデータの不整合性のために画像内にゴーストを生じさせること、があり得る。
【０００６】
こうしたアーチファクトを減少させるための方法及び装置は周知である。解決法の１つは撮像ＦＯＶ１４を大きくしてエイリアシングを減少させることである。ハードウェア的解決法としては、より大きな線形領域をもつ傾斜コイルまたはＤＳＶ１０の外部にあるスピンのＲＦ励起を大幅に減少させるようなＲＦ送信コイルの設計が含まれる。これらの解決法は、大規模なシステム変更を要するような高価な解決法である。
【０００７】
ＦＯＶ１４の外部に位置するスピンから発生するアーチファクト生成信号を抑制するためのよく知られた別の方法は、空間飽和パルスシーケンスを撮像パルスシーケンスと交互配置させることである。米国特許第４，７１５，３８３号に記載されているように、空間飽和パルスシーケンスは、ＦＯＶ１４の外部にある選択スライスまたはスラブ内のスピンの縦方向磁化を、スライス選択傾斜を存在させた状態で選択的ＲＦ励起パルスを印加し選択スライス内のスピンを励起させることによって抑制している。次いで、得られた横方向磁化をディフェーズさせるためにスポイラー傾斜を印加する。励起スライス内の縦方向磁化が回復し得る前に、ＦＯＶ１４から撮像データを収集している。励起スライス内の縦方向磁化が抑制されるため、後続の撮像パルスシーケンス中に事前飽和させた（ｐｒｅｓａｔｕｒａｔｅｄ）スライス内に発生するアーチファクト生成信号を極めて小さくすることができる。
【０００８】
空間飽和法の有効性は、空間飽和スライスを正確に位置特定し該スライス内のスピン信号を適正に抑制するような、ＦＯＶ１４外部の領域内における均一なＢ0及びＢ1磁場、並びに線形な傾斜磁場に依存している。ＤＳＶ１０の外部にある領域はこれらの条件を必ずしも満足していないため、この空間飽和法は、ＤＳＶ１０の外部にある磁場の特性によっては、所与のＭＲＩシステムに関し所与の位置において無効であることがある。
【特許文献１】
特開第２００２−０１７７０４号
【０００９】
【課題を解決するための手段】
本発明は、ＤＳＶの外部から発生する信号に起因する画像アーチファクトを減少させるための方法及び装置である。より具体的には、本発明は、ＤＳＶの外部にある対応する領域に関する空間飽和パルスシーケンスの最適スキャン・パラメータを生成する較正方法を用いて各ＭＲＩシステムごとに個別仕様化させた一組の空間飽和パルスシーケンスを開発することを含む。ＲＦ励起パルスのフリップ角、スライス厚及びスライス位置は、ＤＳＶの外部の特定の領域からの信号を抑制するように最適化させている。これら個別仕様の空間飽和パルスシーケンスは、ＭＲＩシステム内に保存しており、また規定した画像内に臨床的に重大な画像アーチファクトが発生する際にこれらの領域からの信号を抑制するように臨床医によって選択して使用することができる。
【００１０】
【発明の実施の形態】
先ず図１を参照すると、本発明を組み込んでいる好ましいＭＲＩシステムの主要コンポーネントを表している。このシステムの動作は、キーボード／制御パネル１０２及びディスプレイ１０４を含むオペレータ・コンソール１００から制御を受けている。コンソール１００は、オペレータが画像の作成及びスクリーン１０４上への画像表示を制御できるようにする独立のコンピュータ・システム１０７とリンク１１６を介して連絡している。コンピュータ・システム１０７は、バックプレーンを介して互いに連絡している多くのモジュールを含んでいる。これらのモジュールには、画像プロセッサ・モジュール１０６、ＣＰＵモジュール１０８、並びに当技術分野でフレーム・バッファとして知られている画像データ・アレイを記憶するためのメモリ・モジュール１１３が含まれる。コンピュータ・システム１０７は、画像データ及びプログラムを記憶するためにディスク記憶装置１１１及びテープ駆動装置１１２とリンクしており、さらに高速シリアルリンク１１５を介して独立のシステム制御部１２２と連絡している。
【００１１】
システム制御部１２２は、バックプレーンにより互いに接続させたモジュールの組を含んでいる。これらのモジュールには、ＣＰＵモジュール１１９や、シリアルリンク１２５を介してオペレータ・コンソール１００に接続させたパルス発生器モジュール１２１が含まれる。システム制御部１２２はこのリンク１２５を介して、実行すべきスキャン・シーケンスを指示するオペレータからのコマンドを受け取っている。パルス発生器モジュール１２１は、各システム・コンポーネントを動作させて所望のスキャン・シーケンスを実行している。システム制御部１２２はパルスシーケンスからなるライブラリを保存しており、これらは、規定したスキャン・シーケンスを形成させるようにオペレータが特定のスキャン・パラメータを入力することによって選択することができる。こうした選択可能なパルスシーケンスは、選択ができかつ規定済みの撮像パルスシーケンスと交互配置させることができる一組の個別仕様空間飽和シーケンスを含んでいる。これに応じて、パルス発生器モジュール１２１は、発生させるＲＦパルスのタイミング、強度及び形状、並びにデータ収集ウィンドウのタイミング及び長さを指示するデータを発生させている。パルス発生器モジュール１２１は、スキャン中に発生させる傾斜パルスのタイミング及び形状を指示するために、一組の傾斜増幅器１２７と接続させている。パルス発生器モジュール１２１はさらに、患者に接続した多数の異なるセンサからの信号（例えば、電極からのＥＣＧ信号やベローズから呼吸信号）を受け取っている生理学的収集制御器１２９から患者データを受け取っている。また最終的には、パルス発生器モジュール１２１はスキャン室インタフェース回路１３３と接続させており、スキャン室インタフェース回路１３３はさらに、患者及びマグネット系の状態に関連する様々なセンサからの信号を受け取っている。さらにこのスキャン室インタフェース回路１３３を介して、患者位置決めシステム１３４がスキャンのために患者を所望の位置に移動させるコマンドを受け取っている。
【００１２】
パルス発生器モジュール１２１が発生させる傾斜波形は、Ｇx増幅器、Ｇy増幅器及びＧz増幅器から構成される傾斜増幅器システム１２７に加えられる。各傾斜増幅器は、収集した信号の位置エンコーディングに使用する磁場傾斜を生成させるように、全体を１３９で表すアセンブリ内の対応する傾斜コイルを励起させている。傾斜コイル・アセンブリ１３９は、偏向マグネット１４０及び全身用ＲＦコイル１５２を含むマグネット・アセンブリ１４１の一部を形成している。システム制御部１２２内の送受信器モジュール１５０は、ＲＦ増幅器１５１により増幅し送信／受信スイッチ１５４によりＲＦコイル１５２と結合させるようなパルスを発生させている。患者内の励起された原子核が放出して得た信号は、同じＲＦコイル１５２により検知し、送信／受信スイッチ１５４を介して前置増幅器１５３と結合させている。増幅したＮＭＲ信号は、送受信器１５０の受信器セクション内で復調、フィルタ処理及びディジタル化を行っている。送信／受信スイッチ１５４は、送信モードではＲＦ増幅器１５１をコイル１５２に電気的に接続させ、受信モードでは前置増幅器１５３を接続させるようにパルス発生器モジュール１２１からの信号により制御を受けている。送信／受信スイッチ１５４によりさらに、分離したＲＦコイル（例えば、頭部コイルや表面コイル）を送信モードと受信モードのいずれにおいても使用することが可能となる。
【００１３】
ＲＦコイル１５２により取り込んだＮＭＲ信号は、送受信器モジュール１５０によってディジタル化し、システム制御部１２２内のメモリ・モジュール１６０に転送する。スキャンが完了しアレイ状データの全体がメモリ・モジュール１６０内に収集された時点で、アレイ・プロセッサ１６１はこのデータを画像データのアレイにするフーリエ変換を行うように動作する。この画像データはシリアルリンク１１５を介してコンピュータ・システム１０７に送られて、ディスク記憶装置１１１内に格納される。この画像データは、オペレータ・コンソール１００から受け取ったコマンドに応じて、テープ駆動装置１１２上にアーカイブしたり、あるいは画像プロセッサ１０６によってさらに処理してオペレータ・コンソール１００に送りディスプレイ１０４上に提示させたりすることができる。
【００１４】
画像を収集するために、ＭＲＩシステムはパルス発生器１２１の指令の下で一連のパルスシーケンスを実行する。当技術分野で周知の撮像パルスシーケンスは数多くあり、また本発明はこれらのいずれとも一緒に使用することができる。規定した撮像パルスシーケンスは、ＲＦパルスを発生させかつ得られたＮＭＲ信号を受け取るように送受信器１５０を動作させる指令を行い、さらに規定した撮像パルスシーケンスは傾斜システム１２７に対して必要な傾斜磁場Ｇx、Ｇy及びＧzを発生させるように指令している。図２に示すように、規定した撮像パルスシーケンスは、ＦＯＶ１４の画像を再構成できるようなＮＭＲデータの収集を指令している。ＦＯＶ１４のサイズ、形状及び向きは、スキャン中に使用する当該の規定した撮像パルスシーケンスのスキャン・パラメータにより決定される。
【００１５】
具体的に図３を参照すると、本発明は、スキャンの実行中に規定した撮像パルスシーケンスと交互配置させることができる個別仕様の空間飽和パルスシーケンスに関する。この空間飽和パルスシーケンスは、スライス選択傾斜磁場パルス２０２の存在下で印加させているような、フリップ角αを有する選択的ＲＦパルス２００で開始される。スライス選択傾斜２０２は、そのスライス選択傾斜軸に沿った所望の位置において１つのスライス（または、スラブ）のスピンを励起するだけの十分な強さを有する。ＲＦパルス２００の周波数帯域幅により、スピン縦方向磁化がその内部で抑制を受けているような飽和スライスまたはスラブの厚さが決定される。
【００１６】
従来の空間飽和パルスシーケンスで利用されるＲＦパルスは９０°のフリップ角と、１．５テスラで概ね１ｋＨｚの周波数帯域幅を有している。本発明の好ましい実施形態では、ＲＦパルス２００の周波数帯域幅は５〜１０ｋＨｚの範囲とすることができ、また公称フリップ角（ｎｏｍｉｎａｌ  ｆｌｉｐ  ａｎｇｌｅ）は１２０°〜１８０°の範囲である。所望の大きな帯域幅を実現するために、ＲＦパルス２００には２次位相（ｑｕａｄｒａｔｉｃ  ｐｈａｓｅ）のＲＦパルスを使用している。これらの特徴により選択したスライスまたはスラブは、ＤＳＶ１０の外部でＢ0磁場に大きな不均一がある場合であっても明確に画定された領域内のスピン磁化を飽和させることができる。
【００１７】
さらに図３を参照すると、ＲＦパルス２００によってあるスライスまたはスラブのスピン磁化を励起し終えた後、得られた横方向磁化を一組のスポイラー傾斜磁場パルス２０８、２１０及び２１２によってそれぞれの撮像傾斜軸に沿ってディフェーズする。当技術分野でよく知られているように、このデフェージングにより後続の撮像パルスシーケンス中に励起したスピンが発生させる正味のＮＭＲ信号は確実にゼロになる。３つのスポイラー傾斜磁場パルス２０８、２１０及び２１２を使用するのは、その直線性やＤＳＶ１０の外部の単一傾斜の有効性が疑わしいためである。３つの軸方向すべてにスポイラー傾斜磁場パルスを印加することによって、傾斜磁場の少なくとも１つが励起スライス内部の各位置で十分な大きさとなる確率が大幅に増大する。
【００１８】
図３に示したシーケンスなどの一組の個別仕様空間飽和パルスシーケンスに関するスキャン・パラメータはＭＲＩシステム内に保存する。これらのパラメータは、その各々をＤＳＶ１０の周りの特定の領域内で使用するように適合させ、かつその各々をこの領域内のスピン信号を抑制するように適合させるという意味で個別仕様化（ｃｕｓｔｏｍｉｚｅ）している。例えば図２を参照すると、個別仕様空間飽和シーケンスは、ｚ軸に沿ってＤＳＶ１０の両側に位置する領域１６及び１７内のスピンを抑制するように適合させることができる。オペレータは、例えば患者身体の上側部分がシステムの「ホットスポット」に位置しているためにアーチファクトが生成される場合は領域１７に対応した個別仕様空間飽和パルスシーケンスを利用することができる。さらに、ＤＳＶ１０の外部にある別の領域から発生した信号に起因する画像アーチファクトを抑制する必要がある場合には、追加的な個別仕様空間飽和パルスシーケンスを選択して規定した撮像パルスシーケンスと交互配置させることができる。通例として、スキャン中に使用する個別仕様空間飽和パルスシーケンスの数は、総スキャン時間及び患者のＲＦパワー堆積（ｄｅｐｏｓｉｔｉｏｎ）を減少させるために最小値に維持させる。
【００１９】
保存した選択可能な個別仕様空間飽和パルスシーケンスの組は較正処理の間に作成する。この較正処理は、先ずＭＲＩシステムを製作したとき、並びにＭＲＩシステムに対して偏向磁場及びＲＦ磁場の均一性あるいは傾斜磁場の直線性に影響を及ぼすような変更が加えられた場合に実行する。この較正処理を図４に図示しており、またこの較正処理はＭＲＩシステム内にファントームを配置した状態で実施する。このファントームは励起を受けたときに強力なＮＭＲ信号を発生させるような物質で製作しており、またこのファントームは、ＤＳＶ１０の外部（すなわち、システムの「ホットスポット」）に周辺信号アーチファクトを発生させる可能性があるようなすべての領域を占有するだけの十分な大きさとする。
【００２０】
具体的に図４を参照すると、この較正処理は１つの反復処理となっており、この処理中では、各領域すなわち飽和パルスシーケンスのスライス位置に関する一組の値を通るように飽和パルス設定を順序だって配列させている。上で指摘したように、これらの領域はＤＳＶ１０の周りで３つの傾斜軸の各々に沿って位置している。処理ブロック３００に示すように、これらの領域のうちの１つに開始点の役割をさせ、さらにＲＦ励起パルス２００及びスライス選択傾斜磁場パルス２０２はこの領域の中心が選択されるように設定する。さらに、処理ブロック３０２では初期スライス厚を設定する（初期スライス厚は、好ましい実施形態では、選択した領域の厚さである）。次いで処理ブロック３０４において、ＲＦ励起パルスのフリップ角を設定する。好ましい実施形態では、その初期設定は１２０°である。次いで３０６において、画像を３０８で収集しかつ３１０で再構成しているループに入る。処理ブロック３１２において公称フリップ角を１０°だけ増分させ、収集及び再構成を反復する。フリップ角が１８０°に達した時点で、判断ブロック３１４での決定に従ってこのループを抜ける。
【００２１】
この収集３０８で使用する撮像パルスシーケンスは、ＤＳＶ１０全体及びシステムのホットスポットを含む周辺領域から画像を収集している従来のスピンエコー式のパルスシーケンスとすることができる。テスト対象の飽和パルスシーケンスは撮像パルスシーケンスと交互配置させる。テスト対象の選択領域内にファントームを配置し、その画像により発生した任意のＮＭＲ信号を表示させる。飽和パルスを印加させていない場合、選択したスピンエコー式のパルスシーケンスによりファントームの正確な画像が生成されるはずである。しかし、画像のうちシステムのホットスポットに対応する部位はもっと明るくなる（強度が一桁大きいこともある）。この強度のうちのある部分は、典型的には位相エンコード軸に沿った画像の別の領域にゴーストとなって現れる。
【００２２】
図４に示す最適化処理は、高輝度をもつこれらの領域、並びにこれらが生成させるゴーストを、空間飽和パルスシーケンスの最適なパラメータ組を用いて最小化するように動作する。この処理は、判断ブロック３１６及び処理ブロック３１８に示すように様々なスライス厚をテストし、かつ、判断ブロック３２０及び処理ブロック３２２に示すように様々なスライス位置をテストすることによって実施される。適正な飽和のために最適な最終スライス厚は、あらゆるホットスポットの領域全体を十分な余裕をもってカバーするだけの十分な大きさであるが、所望の任意のＦＯＶに干渉を起こさない程度にあまり大き過ぎないようにする必要がある。
【００２３】
判断ブロック３２０においてシステムは、処理ブロック３２２に示すように次のスライス位置をテストするようにループバックする。システムは処理ブロック３０２にループバックし、新規のスライス位置における各スライス厚及びフリップ角をテストする。判断ブロック３２０における判定に従ってスライス位置をすべて完全にテストし終えた時点で、較正画像の収集は完了する。
【００２４】
処理ブロック３２４に示すように、各スライス位置ごとに較正画像を検査し、スライス厚及びフリップ角の最適な設定が決定される。この最適設定は、ゴースト信号を含む再構成画像内におけるシステムのホットスポットからのすべての信号を最良に抑制すると共に最小スライス厚及び最小フリップ角を有するような設定である。処理ブロック３２６に示すように、次いでＤＳＶ１０の外部にある各飽和領域に関するこの最適な設定すなわちスキャン・パラメータを、システム制御メモリ１６０内に保存する。
【００２５】
細長い形状をした人体ではＤＳＶ１０から上方向と下方向に位置するシステムのホットスポットだけからアーチファクトが発生する可能性が高いため、好ましい実施形態では、ＤＳＶ１０の外部に画定させている飽和領域は２つだけである。これらの領域の各々に関して個別仕様飽和パルスシーケンスの最適設定をメモリ１６０に保存する。これらの個別仕様飽和パルスシーケンスは、ＤＳＶ１０の外部に位置するスピンから発生する画像アーチファクトを抑制するためのツールとしてオペレータに利用可能である。
【００２６】
本発明の態様の１つは、これらの個別仕様飽和パルスシーケンスの選択型の実現である。従来の実現形態の１つでは、空間飽和を、各画像スライスごとに印加するか、あるいはｎ個の収集スライスごとに１回印加している。システムに要求される傾斜磁場及びＲＦ磁場を最小限にするため、並びに撮像化対象内のＲＦ発熱堆積を減少させるために、システムのホットスポットにより生成されるアーチファクトの抑制を要する場合にのみ個別仕様飽和パルスシーケンスを印加することが企図される。こうしたアーチファクトはすべての場合に発生するわけでなく、規定した画像スライスまたはボリュームの位置及び向きに依存する。
【図面の簡単な説明】
【図１】本発明を利用しているＭＲＩシステムのブロック図である。
【図２】図１のＭＲＩシステム内のＤＳＶ領域及びＦＯＶ領域の模式図である。
【図３】本発明に従って個別仕様化した空間飽和パルスシーケンスのグラフである。
【図４】図１のＭＲＩシステムに関する個別仕様空間飽和パルスシーケンスを開発するために使用する較正処理の流れ図である。
【符号の説明】
１０  設計球形ボリューム（ＤＳＶ）
１２  スキャン対象
１４  撮像域（ＦＯＶ）
１６  ＤＳＶの外部に位置する領域
１７  ＤＳＶの外部に位置する領域
１００  オペレータ・コンソール
１０２  キーボード／制御パネル
１０４  スクリーン、ディスプレイ
１０６  画像プロセッサ・モジュール
１０７  コンピュータ・システム
１０８  ＣＰＵモジュール
１１１  ディスク記憶装置
１１２  テープ駆動装置
１１３  メモリ・モジュール
１１５  高速シリアルリンク
１１６  リンク
１１９  ＣＰＵモジュール
１２１  パルス発生器モジュール
１２２  システム制御部
１２５  シリアルリンク
１２７  傾斜増幅器システム
１２９  生理学的収集制御器
１３３  スキャン室インタフェース回路
１３４  位置決め装置
１３９  傾斜コイル・アセンブリ
１４０  偏向マグネット
１４１  マグネット・アセンブリ
１５０  送受信器モジュール
１５１  ＲＦ増幅器
１５２  ＲＦコイル
１５３  前置増幅器
１５４  送信／受信スイッチ
１６０  メモリ・モジュール
１６１  アレイ・プロセッサ
２００  選択的ＲＦパルス
２０２  スライス選択傾斜磁場パルス
２０８  スポイラー傾斜磁場パルス
２１０  スポイラー傾斜磁場パルス
２１２  スポイラー傾斜磁場パルス
【図１】
0004222846.tif 000002
【図２】
0004222846.tif 000003
【図３】
0004222846.tif 000004
【図４】
0004222846.tif 000005